(57)【要約】【課題】  送信装置から書込装置に画像情報を送信して表示保持媒体に画像を書き込み表示させるシステムにおいて、送信装置・書込装置間のセキュリティ制御を行えるようにする。【解決手段】  操作端末２及び書込装置３は、有線通信を行う第１通信部２１ａ、３１ａ、至近距離で無線通信を行う第２通信部２１ｂ、３１ｂ、中間距離で無線通信を行う第３通信部２１ｃ、３１ｃ、遠距離で無線通信を行う第４通信部２１ｄ、３１ｄ、を有している。利用者が操作端末２を操作して電子文書を選択すると、操作端末２は、その文書ＩＤに対応する画像情報及び通信方式の情報をサーバ装置１から取得し、当該通信方式を画面２３に表示する。利用者は、当該表示により通信方式を認識して書込装置３を操作すると、当該通信方式により画像情報を送信装置２から書込装置３に送信され、電子ペーパ４に書き込み表示される。【選択図】  図１
2008268779.tif 000002
【特許請求の範囲】
【請求項１】
書込外力に応じて画像が書換可能に形成され且つ当該書込外力を除去した後も形成された画像を表示保持する表示保持媒体と、
有線通信方式又は通信範囲が異なる複数の無線通信方式のうち少なくとも２つの通信方式に対応した第１の通信手段と、当該第１の通信手段により受信した画像情報に基づく書込外力を前記表示保持媒体に与えて画像を書き込む書込手段と、を有する書込装置と、
前記第１の通信手段に応じた複数の通信方式に対応した第２の通信手段と、画像情報を前記書込装置に送信するために用いる通信方式を当該画像情報の送信指示に係る情報に従って選択する選択手段と、を有する送信装置と、
を備えたことを特徴とする画像送信制御システム。
【請求項２】
前記選択手段は、送信指示された画像情報に従って通信方式を選択することを特徴とする請求項１に記載の画像送信制御システム。
【請求項３】
前記選択手段は、送信指示を行った利用者に従って通信方式を選択することを特徴とする請求項１に記載の画像送信制御システム。
【請求項４】
前記選択手段は、送信指示がなされた場所に従って通信方式を選択することを特徴とする請求項１に記載の画像送信制御システム。
【請求項５】
前記選択手段は、送信指示がなされた日時に従って通信方式を選択することを特徴とする請求項１に記載の画像送信制御システム。
【請求項６】
前記選択手段は、送信指示された画像情報の送信先の書込装置に従って通信方式を選択することを特徴とする請求項１に記載の画像送信制御システム。
【請求項７】
前記選択手段は、送信指示された画像情報に基づく画像の書込先の表示保持媒体に従って通信方式を選択することを特徴とする請求項１に記載の画像送信制御システム。
【請求項８】
有線通信方式又は通信範囲が異なる複数の無線通信方式のうち少なくとも２つの通信方式に対応した通信手段と、
書込外力に応じて画像が書換可能に形成され且つ当該書込外力を除去した後も形成された画像を表示保持する表示保持媒体に、前記通信手段に応じた通信方式に対応し且つ画像情報の送信指示に係る情報に従って選択された通信方式を用いて当該画像情報を送信する送信装置から受信した画像情報に基づく書込外力を与えて画像を書き込む書込手段と、
を有することを特徴とする書込装置。
【請求項９】
有線通信方式又は通信範囲が異なる複数の無線通信方式のうち少なくとも２つの通信方式に対応した通信手段と、
書込外力に応じて画像が書換可能に形成され且つ当該書込外力を除去した後も形成された画像を表示保持する表示保持媒体に画像を書き込むために、前記通信手段に応じた通信方式に対応し且ついずれかの通信方式により受信した画像情報に基づく書込外力を前記表示保持媒体に与えて画像を書き込む書込装置に画像情報を送信するにあたり、その送信に用いる通信方式を当該画像情報の送信指示に係る情報に従って選択する選択手段と、
を有することを特徴とする送信装置。
【請求項１０】
コンピュータを、
有線通信方式又は通信範囲が異なる複数の無線通信方式のうち少なくとも２つの通信方式に対応した通信手段と、
書込外力に応じて画像が書換可能に形成され且つ当該書込外力を除去した後も形成された画像を表示保持する表示保持媒体に、前記通信手段に応じた通信方式に対応し且つ画像情報の送信指示に係る情報に従って選択された通信方式を用いて当該画像情報を送信する送信装置から受信した画像情報に基づく書込外力を与えて画像を書き込む書込手段として機能させるためのプログラム。
【請求項１１】
コンピュータを、
有線通信方式又は通信範囲が異なる複数の無線通信方式のうち少なくとも２つの通信方式に対応した通信手段と、
書込外力に応じて画像が書換可能に形成され且つ当該書込外力を除去した後も形成された画像を表示保持する表示保持媒体に画像を書き込むために、前記通信手段に応じた通信方式に対応し且ついずれかの通信方式により受信した画像情報に基づく書込外力を前記表示保持媒体に与えて画像を書き込む書込装置に画像情報を送信するにあたり、その送信に用いる通信方式を当該画像情報の送信指示に係る情報に従って選択する選択手段として機能させるためのプログラム。
【発明の詳細な説明】
【技術分野】
【０００１】
本発明は、画像送信制御システム、書込装置、送信装置、及びプログラムに関する。
【背景技術】
【０００２】
印刷物は一般に外部からのインクやトナー等の着色材料や現像材料を紙を代表とする媒体上に供給することで固定的な画像表示を行わせるものであるが、このような固定的に画像を表示保持する媒体に代替可能な媒体として、書込外力に応じて画像が書換可能に形成され且つ当該書込外力を除去した後も形成された画像を表示保持する表示保持媒体が研究開発されている。
【０００３】
このような表示保持媒体は、画像を表示保持する領域としての表示部の内部に画像を構成する表示材料を含有し、この表示材料に書込外力（電気、磁気、熱、所定ＰＨの液体といった化学的作用等）を作用させることで、表示材料が物理的或いは化学的に状態が変化して書込外力に応じた画像が形成され、また、この書込外力を除去した後でも形成された画像が維持され、さらに、異なる書込外力を作用させると先の画像が新たな書込外力に応じた画像へと変化するものである。このように書込外力を無くした状態での表示状態の維持（記憶）が紙のようである点に加えて、着色材料や現像剤を外部から供給することなく表示画像を書き換えられる点が電子デバイス的であることから、電子ペーパと称せられることが多い。
【０００４】
なお、電子ペーパを利用した以下のような発明が提案されている。
媒体書き込み装置が、取得した情報を適宜書き込み可能な形式に変換して記録媒体に書き込み、その記録媒体から或いはユーザの入力によって媒体ＩＤを取得し、媒体ＩＤと書き込んだ情報の所在を示す情報とをサーバに送り、両者を対応付けたインデックス情報としてサーバに保存することで、後に媒体ＩＤに基づいてインデックス情報を特定して元の情報を取得可能にし、再加工や再利用を容易に行えるようにする発明が提案されている（特許文献１参照）。
【０００５】
ユーザが可搬性表示記録媒体によりコンテンツ提供装置から表示用コンテンツを取得すると、ユーザＩＤ、可搬性表示記録媒体のデバイスＩＤ、コンテンツＩＤと取得の時刻情報を管理装置に通知し、管理装置のログＤＢに記録することで、ユーザＩＤ、デバイスＩＤ、コンテンツＩＤの夫々をキーに検索可能にし、コンテンツの利用に係るユーザの行動の管理や解析を行えるようにする発明が提案されている（特許文献２参照）。
【０００６】
表示記録媒体には媒体識別コード、表示情報識別コード、及び表示情報が記録されており、コード情報読取部が媒体識別コードを読み取ってホストコンピュータへ送信し、書き換え要求がある場合、情報書込部がホストコンピュータから送信された表示情報識別コード及び表示情報を表示記録媒体へ書き込むことで、表示内容の変更に対する柔軟な対応や表示内容のリアルタイムな把握を行えるようにする発明が提案されている（特許文献３参照）。
【０００７】
ＰＣやネットワークに接続できる転送装置１から無線で電子ペーパと無線タグを有した表示装置２と通信し固体識別を行い、これに基づいて表示情報を転送し、また、空間に複数配置した転送装置１により電子ペーパを検知し情報管理する発明が提案されている（特許文献４参照）。
【０００８】
【特許文献１】特開２００４−１３９５４８号公報
【特許文献２】特開２００５−２６７１４７号公報
【特許文献３】特開２００２−２０３２１３号公報
【特許文献４】特開２００５−３１６６７２号公報
【発明の開示】
【発明が解決しようとする課題】
【０００９】
例えば携帯電話やパーソナルコンピュータ（ＰＣ）等の操作端末から電子文書の画像情報を書込装置に送信し、書込装置が当該画像情報に基づく電子文書の画像を表示保持媒体に書き込み表示させるシステムが考えられている。
ここで、電子文書毎に閲覧を許可する利用者を設定してアクセス制御することが一般に行われているが、例えば、送信装置（操作端末）から書込装置に無線通信により電子文書の画像情報を送信する過程でその通信情報が他人に傍受される危険があるため、送信装置と書込装置との間でもセキュリティを確保するための対策が必要となる。
【００１０】
本発明は、上記従来の事情に鑑みなされたものであり、送信装置から書込装置に画像情報を送信して表示保持媒体に画像を書き込み表示させるシステムにおいて、送信装置と書込装置との間におけるセキュリティ制御を行えるようにすることを目的としている。
【課題を解決するための手段】
【００１１】
請求項１に記載の本発明は、書込外力に応じて画像が書換可能に形成され且つ当該書込外力を除去した後も形成された画像を表示保持する表示保持媒体と、有線通信方式又は通信範囲が異なる複数の無線通信方式のうち少なくとも２つの通信方式に対応した第１の通信手段と、当該第１の通信手段により受信した画像情報に基づく書込外力を前記表示保持媒体に与えて画像を書き込む書込手段と、を有する書込装置と、前記第１の通信手段に応じた複数の通信方式に対応した第２の通信手段と、画像情報を前記書込装置に送信するために用いる通信方式を当該画像情報の送信指示に係る情報に従って選択する選択手段と、を有する送信装置と、を備えたことを特徴とする画像送信制御システムである。
【００１２】
請求項２に記載の本発明は、請求項１に記載の画像送信制御システムにおいて、前記選択手段は、送信指示された画像情報に従って通信方式を選択することを特徴とする画像送信制御システムである。
【００１３】
請求項３に記載の本発明は、請求項１に記載の画像送信制御システムにおいて、前記選択手段は、送信指示を行った利用者に従って通信方式を選択することを特徴とする画像送信制御システムである。
【００１４】
請求項４に記載の本発明は、請求項１に記載の画像送信制御システムにおいて、前記選択手段は、送信指示がなされた場所に従って通信方式を選択することを特徴とする画像送信制御システムである。
【００１５】
請求項５に記載の本発明は、請求項１に記載の画像送信制御システムにおいて、前記選択手段は、送信指示がなされた時間に従って通信方式を選択することを特徴とする画像送信制御システムである。
【００１６】
請求項６に記載の本発明は、請求項１に記載の画像送信制御システムにおいて、前記選択手段は、送信指示された画像情報の送信先の書込装置に従って通信方式を選択することを特徴とする画像送信制御システムである。
【００１７】
請求項７に記載の本発明は、請求項１に記載の画像送信制御システムにおいて、前記選択手段は、送信指示された画像情報に基づく画像の書込先の表示保持媒体に従って通信方式を選択することを特徴とする画像送信制御システムである。
【００１８】
請求項８に記載の本発明は、有線通信方式又は通信範囲が異なる複数の無線通信方式のうち少なくとも２つの通信方式に対応した通信手段と、書込外力に応じて画像が書換可能に形成され且つ当該書込外力を除去した後も形成された画像を表示保持する表示保持媒体に、前記通信手段に応じた通信方式に対応し且つ画像情報の送信指示に係る情報に従って選択された通信方式を用いて当該画像情報を送信する送信装置から受信した画像情報に基づく書込外力を与えて画像を書き込む書込手段と、を有することを特徴とする書込装置である。
【００１９】
請求項９に記載の本発明は、有線通信方式又は通信範囲が異なる複数の無線通信方式のうち少なくとも２つの通信方式に対応した通信手段と、書込外力に応じて画像が書換可能に形成され且つ当該書込外力を除去した後も形成された画像を表示保持する表示保持媒体に画像を書き込むために、前記通信手段に応じた通信方式に対応し且ついずれかの通信方式により受信した画像情報に基づく書込外力を前記表示保持媒体に与えて画像を書き込む書込装置に画像情報を送信するにあたり、その送信に用いる通信方式を当該画像情報の送信指示に係る情報に従って選択する選択手段と、を有することを特徴とする送信装置である。
【００２０】
請求項１０に記載の本発明は、コンピュータを、有線通信方式又は通信範囲が異なる複数の無線通信方式のうち少なくとも２つの通信方式に対応した通信手段と、書込外力に応じて画像が書換可能に形成され且つ当該書込外力を除去した後も形成された画像を表示保持する表示保持媒体に、前記通信手段に応じた通信方式に対応し且つ画像情報の送信指示に係る情報に従って選択された通信方式を用いて当該画像情報を送信する送信装置から受信した画像情報に基づく書込外力を与えて画像を書き込む書込手段として機能させるためのプログラムである。
【００２１】
請求項１１に記載の本発明は、コンピュータを、有線通信方式又は通信範囲が異なる複数の無線通信方式のうち少なくとも２つの通信方式に対応した通信手段と、書込外力に応じて画像が書換可能に形成され且つ当該書込外力を除去した後も形成された画像を表示保持する表示保持媒体に画像を書き込むために、前記通信手段に応じた通信方式に対応し且ついずれかの通信方式により受信した画像情報に基づく書込外力を前記表示保持媒体に与えて画像を書き込む書込装置に画像情報を送信するにあたり、その送信に用いる通信方式を当該画像情報の送信指示に係る情報に従って選択する選択手段として機能させるためのプログラムである。
【発明の効果】
【００２２】
請求項１に記載の画像送信制御システムによると、送信装置から書込装置への画像情報の送信を、画像情報の送信指示に係る情報に従って選択した通信方式で行うため、セキュリティレベルに応じた通信方式を選択するよう構成することで、送信装置と書込装置との間におけるセキュリティ制御を行うことができるようになる。
【００２３】
請求項２に記載の画像送信制御システムによると、送信指示された画像情報に応じてセキュリティ制御を行うことができる。
【００２４】
請求項３に記載の画像送信制御システムによると、送信指示を行った利用者に応じてセキュリティ制御を行うことができる。
【００２５】
請求項４に記載の画像送信制御システムによると、送信指示がなされた場所に応じてセキュリティ制御を行うことができる。
【００２６】
請求項５に記載の画像送信制御システムによると、送信指示がなされた日時に応じてセキュリティ制御を行うことができる。
【００２７】
請求項６に記載の画像送信制御システムによると、送信指示された画像情報の送信先の書込装置応じてセキュリティ制御を行うことができる。
【００２８】
請求項７に記載の画像送信制御システムによると、送信指示された画像情報に基づく画像の書込先の表示保持媒体応じてセキュリティ制御を行うことができる。
【００２９】
請求項９に記載の書込装置によると、画像情報の送信指示に係る情報に従って選択された通信方式で送信装置から画像情報を受信するため、セキュリティレベルに応じた通信方式を選択するよう構成することで、送信装置と書込装置との間におけるセキュリティ制御を行うことができるようになる。
【００３０】
請求項１０に記載の送信装置によると、画像情報の送信指示に係る情報に従って選択した通信方式で書込装置に画像情報を送信するため、セキュリティレベルに応じた通信方式を選択するよう構成することで、送信装置と書込装置との間におけるセキュリティ制御を行うことができるようになる。
【００３１】
請求項１１に記載のプログラムによると、その実行により書込装置のコンピュータ上に実現される各機能手段により、画像情報の送信指示に係る情報に従って選択された通信方式で送信装置から画像情報を受信するため、セキュリティレベルに応じた通信方式を選択するよう構成することで、送信装置と書込装置との間におけるセキュリティ制御を行うことができるようになる。
【００３２】
請求項１２に記載のプログラムによると、その実行により送信装置のコンピュータ上に実現される各機能手段により、画像情報の送信指示に係る情報に従って選択した通信方式で書込装置に画像情報を送信するため、セキュリティレベルに応じた通信方式を選択するよう構成することで、送信装置と書込装置との間におけるセキュリティ制御を行うことができるようになる。
【発明を実施するための最良の形態】
【００３３】
まず、本発明に用いることができる表示保持媒体（いわゆる電子ペーパ）について説明する。
電子ペーパは、書込外力に応じて画像が書換可能に形成され且つ当該書込外力を除去した後も形成された画像を表示保持する媒体であり、その表示原理としては、電気、磁気、熱といった外力を直接印加して素子を駆動するもの、あるいは光照射に伴う電圧変化により素子を駆動するものや、電圧印加に伴う液体のＰＨ変化により呈色状態を変化させる等、連鎖的に素子を駆動する表示原理を用いるもの等がある。
【００３４】
電子ペーパの一例として、光照射により画像を書き換える電子ペーパ（以下、光書換型電子ペーパ）について具体的に説明する。
光書換型電子ペーパは、媒体の大部分を占める表示部４１の断面構造を表す図６に示すように、複写機に利用されている有機光導電性材料の層（有機光導電層）６０と液晶表示材料の層（マイクロカプセル化したコレステリック液晶層）６１とを組み合わせ、これら層を表裏一対の透明電極６２で挟み、この積層体を表裏一対の透明な基材フィルム６３で挟んだ構造となっている。なお、この構成では、コレステリック液晶層６１が光を反射する白表示と、光が液晶層６１を透過しコレステリック液晶層６１と有機光導電層６０との間に設けられた黒色層６４で吸収される黒表示のモノクロ画像表示が可能である。さらにコレステリック液晶には螺旋ピッチに応じたカラー光を干渉反射するという特性があるので、コレステリック液晶層６１を螺旋ピッチの異なる液晶を積層した構成にすることにより、簡単な構造でカラー表示を実現することも可能である。
【００３５】
そして、光書換型電子ペーパは、表示部４１の動作原理を表す図７に示すように、例えば画像書込み用の調光素子パネル（発光パネル）に転写する画像を表示して表示部４１に投影し、表示部４１に設けた書き込み用電極に電圧を印加すると、表示部４１は光の強弱を瞬時に反射濃度に変換して当該投影画像を保持する。そして、電極に消去電圧を印加することにより表示部４１に保持された画像情報を消去することができ、光書換型電子ペーパは書き込みと消去を繰り返して幾度も再使用することができる。なお、光書換型電子ペーパはこのような消去処理を行わずに、上記のように電極に電圧を印加して新たな画像を投影することにより、表示部４１に保持されている画像情報を上書きすることもでき、このような上書き処理によっても幾度も再使用することができる。
【００３６】
電子ペーパの他の例として、電気の直接印加により画像を書き換える電子ペーパ（以下、電気書換型電子ペーパ）について具体的に説明する。
電気書換型電子ペーパは、媒体の大部分を占める表示部４１の断面構造を表す図８に示すように、微細な着色帯電粒子（図示の例では、白色粒子７１と黒色粒子７２）を少なくとも表面側が透明な表裏一対の電極７３間に封入し、これを少なくとも表面側が透明な表裏一対のフィルム基板７４で挟んだ構造となっている。着色粒子７１、７２が自由に移動できるように電極層７３間は空気層となっており、また、マトリックス状の電極層７３には着色粒子７１、７２との接触を防止する絶縁層７５が設けられている。なお、カラーフィルターを用いることにより、簡単な構造でカラー表示を実現することも可能である。
【００３７】
そして、電気書換型電子ペーパは、表示部４１の動作原理を表す図９に示すように、電極７３に電圧を印加していない状態（但し、電極７３は前回の駆動時の極性に帯電している）では、負（マイナス）に帯電した白色粒子７１は裏面側に溜まる一方、正（プラス）に帯電した黒色粒子７２は表面側に溜まり、表示部４１を表面側から目視すると表示部４１は黒色な状態となる。そして、電気書換型電子ペーパに接続されたドライバ（後述する書込部３２）を画像データに基づいて動作させ、当該ドライバの機能により表示する画像に応じた表示部４１のマトリックスの所要部の電極極性を反転させると、白色粒子７１と黒色粒子７２との位置関係が入れ替わって、表示部４１に白色粒子７１と黒色粒子７２とのコントラストによる画像が表示される。なお、異なる画像データに基づいてドライバを動作させることにより、白色粒子７１と黒色粒子７２とのコントラストにより表示部４１に表示される画像を切り換えることができ、幾度も再使用することができる。
【００３８】
図１は、本発明の一実施例に係る画像送信制御システムの構成を示しており、本例の画像送信制御システムは、サーバ装置１、操作端末２、書込装置３、電子ペーパ４、を備えている。操作端末２と書込装置３とは、複数の通信方式に対応しており、後述するように、状況に応じて通信方式を切り替えている。
【００３９】
サーバ装置１は、電子文書を保持・管理する文書管理テーブル１１、セキュリティ情報を保持・管理するセキュリティ管理テーブル１２、を備えている。
本例のセキュリティ管理テーブル１２は、図２に示すように、各電子文書を識別する「文書ＩＤ」、当該電子文書の画像情報を操作端末２から書込装置３に送信するために用いる通信方式を示す「セキュリティレベル」、を組にして保持している。すなわち、使用可能な通信方式を電子文書別に設定している。
【００４０】
操作端末２は、通信方式毎に設けた複数の通信部２１、画像情報の送信に用いる通信方式を選択する選択部２２、選択された通信方式の情報を表示する画面２３、利用者から指示入力を受け付ける操作部２３、を備えている。
本例では、操作端末２として携帯電話を用いているが、例えば、ＰＤＡ（Personal Digital Assistants）等の他の携帯型の装置や、デスクトップパソコン等の据置型の装置を用いてもよい。また、本例では、操作端末２に外部接続される送信ポート装置（以下「ポート」と記す）に通信部２１と選択部２２とを設けているが、これらを操作端末２の内部に設けてもよい。
【００４１】
書込装置３は、通信方式毎に設けた複数の通信部３１、受信した画像情報に基づいて電子ペーパ４に画像を書き込む書込部３２、を備えている。
本例では、電子ペーパ４として電気書換型電子ペーパを用いており、書込部３２は、電子ペーパ４の表示部４１に設けたマトリックス状電極の所要部の電極極性を変化させて表示部４１に画像を書き込み表示させる。なお、例えば光書込型電子ペーパを用いる場合には、書込部３２を発光パネル等の光書き込みに必要な機能部により構成して表示部４１に画像を投影書き込みする等、電子ペーパの表示原理に応じた書き込み処理を行うよう書込部３２を構成すればよい。
なお、本例では、書込装置３を、電子ペーパ４に着脱自在に接続できるアダプタ装置（以下「アダプタ」と記す）として構成しているが、これらを一体に構成して自己書換型の電子ペーパとしてもよい。
【００４２】
本例の画像送信制御システムでは、図３（ａ）に示すように操作端末（ポート）２と書込装置（アダプタ）３とを直接或いはケーブル等により間接的に接続して有線通信する方式（第１通信方式）、同図（ｂ）に示すように至近距離（例えば１ｃｍ）で無線通信する方式（第２通信方式）、同図（ｃ）に示すように中間距離（例えば３０ｃｍ）で無線通信する方式（第３通信方式）、同図（ｄ）に示すように遠距離（例えば１０ｍ）で無線通信する方式（第４通信方式）を有している。
【００４３】
そして、操作端末２及び書込装置３は、第１通信方式に対応する第１通信部２１ａ及び３１ａ、第２通信方式に対応する第２通信部２１ｂ及び３１ｂ、第３通信方式に対応する第３通信部２１ｃ及び３１ｃ、第４通信方式に対応する第４通信部２１ｄ及び３１ｄ、を備えている。
なお、上記のような構成（１つの有線通信方式と３つの無線通信方式を有する構成）に限らず、例えば、有線通信方式と無線通信方式とを１つずつ有する構成や、複数の無線通信方式を有する（有線通信方式を有さない）構成など、他の構成を採用してもよい。
【００４４】
本例の画像送信制御システムによる画像情報の送信手順を、図４を参照して説明する。
利用者が、操作端末２の操作部２４を操作して表示対象のコンテンツ（電子文書）を選択すると、操作端末２は、コンテンツＩＤ（電子文書の文書ＩＤ）をサーバ装置１に送信してコンテンツ情報（電子文書の画像情報）を要求する（ステップＳ１１）。
サーバ装置１は、コンテンツＩＤ（文書ＩＤ）に対応するコンテンツ情報（画像情報）を文書管理テーブル１１を参照して特定し、また、コンテンツＩＤ（文書ＩＤ）に対応するポート・アダプタ間の通信方式の情報をセキュリティ管理テーブル１２を参照して特定し、これらをポート（操作端末２）に送信する（ステップＳ１２）。
【００４５】
ポート（操作端末２）は、コンテンツ情報（画像情報）と通信方式情報とを受信すると、当該通信方式を画面２３に表示出力して利用者に報知する（ステップＳ１３）。なお、通信方式をスピーカにより音声出力して報知してもよい。
利用者は、報知された通信方式に従ってアダプタ（書込装置装置３）を操作（有線通信方式の場合はポートに接続、無線通信方式の場合はその通信範囲に応じた位置に配置）して、ポート（操作端末２）からアダプタ（書込装置装置３）に当該通信方式により画像情報を送信させる（ステップＳ１４）。
アダプタ（書込装置装置３）は、受信した画像情報に基づく画像を書込部３２により電子ペーパ４に書き込み表示させる（ステップＳ１５）。
このように、本例では、電子文書のセキュリティレベルに応じて送信装置２と書込装置３との間の通信方式を切り替えることで、これら装置間の通信におけるセキュリティ制御を行っている。
【００４６】
なお、上記のような送信指示された電子文書（画像情報）に応じたセキュリティ制御の他に、送信指示を行った利用者、送信指示がなされた場所、送信指示がなされた日時、送信指示された画像情報の送信先の書込装置３、送信指示された画像情報に基づく画像の書込先の電子ペーパ４、に応じたセキュリティ制御も可能である。
【００４７】
送信指示を行った利用者に応じたセキュリティ制御を行う場合は、セキュリティ管理テーブル１２に使用可能な通信方式を場所別に設定しておき、送信指示を行った利用者を特定して通信方式を選択すればよい。
すなわち、図５に示すように、まず、本システムを利用する前提条件としてユーザ認証を行うためのユーザＩＤ及びパスワードを利用者から受け付けてユーザ認証を行う（ステップＳ２１）。本例では、操作端末２でユーザ認証を行うが、書込装置３や電子ペーパ４でユーザ認証を行ってもよい。また、例えば指紋等の利用者固有の生物的特徴に基づいてユーザ認証（生体認証）を行うようにしてもよい。また、操作端末２、書込装置３、電子ペーパ４のいずれかにユーザＩＤを予め記憶させておくことでユーザ認証を省略してもよい。
【００４８】
その後、利用者により表示対象のコンテンツ（電子文書）が選択されると、そのコンテンツＩＤ（電子文書の文書ＩＤ）と前記ユーザＩＤとをサーバ装置１に送信する（ステップＳ２２）。
サーバ装置１は、コンテンツＩＤ（文書ＩＤ）に対応するコンテンツ情報（画像情報）を文書管理テーブル１１を参照して特定し、また、ユーザＩＤに対応するポート・アダプタ間の通信方式の情報をセキュリティ管理テーブル１２を参照して特定し、これらをポート（操作端末２）に送信する（ステップＳ２３）。
【００４９】
ポート（操作端末２）は、コンテンツ情報（画像情報）と通信方式情報とを受信すると、当該通信方式を画面２３に表示出力して利用者に報知する（ステップＳ２４）。
利用者は、報知された通信方式に従ってアダプタ（書込装置装置３）を操作して、ポート（操作端末２）からアダプタ（書込装置装置３）に当該通信方式により画像情報を送信させる（ステップＳ２５）。
アダプタ（書込装置装置３）は、受信した画像情報に基づく画像を書込部３２により電子ペーパ４に書き込み表示させる（ステップＳ２６）。
【００５０】
送信指示がなされた場所に応じたセキュリティ制御を行う場合は、セキュリティ管理テーブル１２に使用可能な通信方式を場所別に設定しておき、送信指示がなされた場所を特定して通信方式を選択すればよい。
場所の特定方法としては、例えば、各場所を識別する場所ＩＤを発信する装置を各場所に設けて操作端末２等が受信して特定したり、ＧＰＳ（Global Positioning System) を用いて特定したり、利用者が操作端末２等を操作して入力した場所ＩＤにより特定したりすることができる。
【００５１】
送信指示がなされた日時に応じたセキュリティ制御を行う場合は、セキュリティ管理テーブル１２に使用可能な通信方式を日時別に設定しておき、送信指示がなされた日時を特定して通信方式を選択すればよい。
【００５２】
送信指示された画像情報の送信先の書込装置３に応じたセキュリティ制御を行う場合は、セキュリティ管理テーブル１２に使用可能な通信方式を書込装置別に設定しておき、送信指示された画像情報の送信先の書込装置３を特定して通信方式を選択すればよい。
書込装置３の特定方法としては、例えば、予め書込装置３に記憶されている各書込装置３を識別する装置ＩＤを読み取って特定したり、利用者が操作端末３等を操作して入力した装置ＩＤにより特定したりすることができる。
【００５３】
送信指示された画像情報に基づく画像の書込先の電子ペーパ４に応じたセキュリティ制御を行う場合は、セキュリティ管理テーブル１２に使用可能な通信方式を電子ペーパ別に設定しておき、送信指示された画像情報に基づく画像の書込先の電子ペーパ４を特定して通信方式を選択すればよい。
電子ペーパ４の特定方法としては、例えば、予め電子ペーパ４に記憶されている各電子ペーパ４を識別する媒体ＩＤを読み取って特定したり、利用者が操作端末２等を操作して入力した媒体ＩＤにより特定したりすることができる。
【００５４】
なお、例えば、電子文書別の通信方式、利用者別の通信方式、場所別の通信方式、日時別の通信方式、書込装置別の通信方式、電子ペーパ別の通信方式の少なくとも２つをセキュリティ管理テーブルに設定しておき、送信指示がなされた状況や環境を総合的に判断して、通信方式を選択するようにしてもよい。
【００５５】
ここで、本例に係る送信装置２及び書込装置３は、ＣＰＵ（Central Processing Unit）等の演算部やＲＡＭ（Ra ndom Access Memory）等の記憶部といったハードウェア資源を有するコンピュータが、本発明に係るプログラムを実行することで実現している。
具体的には、コンピュータが有するＲＯＭ（Read Only Memory）内に本発明に係るプログラムを予め記憶保持しており、当該プログラムを読み出して記憶部に展開し、演算部により実行させることで本発明に係る各機能手段を構成している。
【００５６】
なお、例えば、ＣＤ−ＲＯＭ（Compact Disc Read Only Memory）やメモリカートリッジ等の外部記憶媒体を装填するスロット等の媒体接続部をコンピュータに設け、本発明に係るプログラムをコンピュータ読み取り可能に記憶保持した外部記憶媒体から当該媒体接続部によりプログラムを読み出して実行してもよい。また、例えば、本発明に係るプログラムを送信する機能を有するサーバ装置との通信をネットワークを介して行う通信部をコンピュータに設け、当該通信部によりサーバ装置からプログラムを受信して実行してもよい。また、上記のように外部から取得した本発明に係るプログラムをコンピュータのＨＤＤ（Hard Disk Drive）に記憶保持するようにし、当該ＨＤＤからプログラムを読み出して実行してもよい。
なお、上記のようなソフトウェア構成でなく、専用のハードウェア回路により本発明に係る各機能手段を構成してもよい。
【図面の簡単な説明】
【００５７】
【図１】本発明の一実施例に係る画像送信制御システムの機能構成を示す図である。
【図２】本発明の一実施例に係るセキュリティ管理テーブルを示す図である。
【図３】本発明の一実施例に係る通信方式を説明する図である。
【図４】本発明の一実施例に係る画像情報の送信手順を説明する図である。
【図５】本発明の一実施例に係る画像情報の送信手順を説明する図である。
【図６】光書換型電子ペーパの構造を説明する図である。
【図７】光書換型電子ペーパの動作原理を説明する図である。
【図８】電気書換型電子ペーパの構造を説明する図である。
【図９】電気書換型電子ペーパの動作原理を説明する図である。
【符号の説明】
【００５８】
１：サーバ装置、
２：送信装置（操作端末）、
３：書込装置、
４：表示保持媒体（電子ペーパ）、
１１：文書管理テーブル、
１２：セキュリティ管理テーブル、
２１ａ、２１ｂ、２１ｃ、２１ｄ：通信部、
２２：選択部、
２３：画面、
２４：操作部、
３１ａ、３１ｂ、３１ｃ、３１ｄ：通信部、
３２：書込部
【図１】
2008268779.tif 000003
【図２】
2008268779.tif 000004
【図３】
2008268779.tif 000005
【図４】
2008268779.tif 000006
【図５】
2008268779.tif 000007
【図６】
2008268779.tif 000008
【図７】
2008268779.tif 000009
【図８】
2008268779.tif 000010
【図９】
2008268779.tif 000011